(57)【特許請求の範囲】
【請求項１】
通帳搬送路上の定位置に設けためくりローラを所定方向に回転させて、めくり領域に停止させた通帳のめくりローラに接触する表紙又は中紙を膨らませ、かつ、跳ね上げさせた後、前記通帳を所定方向に搬送して跳ね上げさせた表紙又は中紙を反転させることにより、頁めくりを行う通帳頁めくり装置において、
前記めくりローラは、これを通帳搬送方向に直交する方向に延設された回転軸に軸方向に隔てて一対設け、かつ、前記回転軸に前記一対のめくりローラの間において外周面が通帳搬送面に近接する浮上防止ローラを回転自在に設けたことを特徴とする通帳めくり装置。
【発明の詳細な説明】
【０００１】
【発明の属する技術分野】
本発明は、ＡＴＭ（自動預金支払機）や自動記帳機などの通帳処理装置において用いられる通帳頁めくり装置、とくに通帳搬送路中の定位置に設けためくりローラを所定方向に回転させて、停止されている通帳の前記めくりローラに接触している表紙又は中紙をめくるものに関する。
【０００２】
【従来の技術】
本出願人は、特願平１０−３０１３２０号明細書において、定位置で所定方向に回転されるめくりローラを用いる通帳頁めくり装置を提案した。この通帳頁めくり装置は、図２に示すように、見開き状態の通帳１００を搬送ローラＣＲ１，ＣＲ２により頁めくり領域まで搬送して停止し（図２（ａ））、搬送ローラＣＲ２を構成するフィードローラｆｒ２の回転軸と同軸上に独立回転可能に設けためくりローラＴＲを、これに接触している通帳の中紙１０１の先端がめくりローラの下側を通過して通帳の綴じ目１０２の方向に移動するように所定方向（図２の例では時計方向）に回転させて、その中紙１０１を上方に凸面となるように膨らませる（図２（ｂ））とともに、さらにその中紙をめくりローラＴＲの上方に跳ね上げさせ（図２（ｃ））、複数枚めくる場合は、めくりローラＴＲをめくり枚数と同じ回数回転させ、その後は、搬送ローラＣＲ１，ＣＲ２，ＣＲ３を所定方向に回転させて、その通帳１００を綴じ目１０２がめくりローラＴＲの下側を通過する方向に移動させて、跳ね上げられた中紙１０１を反転させる（図２（ｄ））ことにより、頁めくり動作を完了するようになっている。
【０００３】
以上は、図２において、通帳１００を右側から左側にめくる場合について説明したが、通帳を左側から右側にめくる場合は、めくりローラＴＲの右側に、搬送ローラＣＲ１と同一構成の搬送ローラＣＲ３がめくりローラＴＲに関して対称の位置に配置されているので、同図（ａ）〜（ｄ）の通帳の位置がめくりローラＴＲに関して左右対称の位置関係になり、めくりローラＴＲの回転方向及び通帳の搬送方向がそれぞれ逆となる。
【０００４】
上記のような頁めくり動作を行う通帳頁めくり装置の全体的構成を、図３ないし図５に基づいて説明する。図３は通帳頁めくり装置の要部を示す断面図、図４は図３のＸ−Ｘ線断面図、図５は駆動系を示す側面図である。図２について説明した構成部材と同一又は相当の部材には、同一の符号を用いる。
【０００５】
図２〜図４における搬送ローラＣＲ１，ＣＲ３は、通帳搬送面を境としてその上下に対向配置されたフィードローラとプレッシャローラｆｒ１，ｐｒ１；ｆｒ３，ｐｒ３からなり、フィードローラｆｒ１，ｆｒ３は図４に示すように左右のフレームＦ１，Ｆ２に回転自在に貫通された駆動軸１ａ，３ａにその長手方向に適宜の間隔をもって複数個固着され、プレッシャローラｐｒ１，ｐｒ３は支軸１ｂ，３ｂにその長手方向にフィードローラｆｒ１，ｆｒ３と等しい間隔をもって揺動自在に支持されたアーム１ｃ，３ｃの先端に回転自在に保持され、アーム１ｃ，３ｃの後端と固定部材との間に張設されたバネなどの付勢部材１ｄ，３ｄにより、各フィードローラｆｒ１，ｆｒ３の方向に付勢されている。
【０００６】
図２〜図４の２ａも、フィードローラｆｒ１の駆動軸１ａと同様の駆動軸であり、その軸上にフィードローラｆｒ１と同様のフィードローラｆｒ２が同様に配置されており、また、各フィードローラｆｒ２の下方にそれぞれ対向して同様の付勢手段により付勢されたプレッシャローラｐｒ２が配置されて、搬送ローラＣＲ２が構成されている。
搬送ローラＣＲ２のプレッシャローラｐｒ２を保持するアーム２ｃは、フレームＦ１，Ｆ２に回転自在に貫通された支軸２ｂに固着されている。支軸２ｂの一端部にＬ形のレバー２ｅがその屈曲部において固着され、そのレバーの一端部に付勢部材２ｄが結合されて、プレッシャローラｐｒ２がフィードローラｆｒ２の方向に付勢されている。また、レバー２ｅの他端部にはカムフォロワ２ｆが設けられ、そのカムフォロワ２ｆは、フレームＦ１，Ｆ２に回転自在に貫通された支軸４に固着されているカム５に当接されている。カム５が伝動ベルト６を介してモータＭ１により図３において反時計方向に所定角度回動されると、カムフォロワ２ｆ、レバー２ｅ，支軸２ｂ及びアーム２ｃを介してプレッシャローラｐｒ２が付勢部材２ｄに抗してフィードローラｆｒ２から下方に離間されるようになっている。
【０００７】
そして、図４及び図５に一部を示すように、フィードローラｆｒ１〜ｆｒ３の駆動軸１ａ，２ａ，３ａは、その一端部に設けられたプーリ７に共通の伝動ベルト８を巻回して、図示されていない搬送モータから同一方向の回転駆動力を与えられるようになっている。図５において、ｔｒはテンションローラである。これにより、搬送ローラＣＲ１，ＣＲ２，ＣＲ３により通帳を上側搬送ガイドＵＧと下側搬送ガイドＬＧの間を図３において右方向又は左方向に搬送することができる。
【０００８】
図２〜図５において、ＴＲは頁めくりローラであり、搬送ローラＣＲ２を構成するフィードローラｆｒ２の半径よりも小さいボス部ｂｍの外周の一部にゴムなどの摩擦係数の大きい材料で作られためくり部材ｔｍを、頁めくりローラの軸心からめくり部材ｔｍの外端までの距離がフィードローラｆｒ２の半径よりも僅かに大きくなるように半径方向に突出させて構成されている。
そして、頁めくりローラＴＲは、スリーブ９の両端部の外周に固着されている。スリーブ９は、図３及び図４に示すように、これに駆動軸２ａを貫通させ、隣合う二つのフィードローラｆｒ２の間において、駆動軸２ａに固着されたストッパ１０により所定位置において駆動軸２ａに回転自在に保持されている。
【０００９】
スリーブ９の中央部の外周には、プーリ１１が固着されている。そして、駆動軸２ａの真上において左右のフレームＦ１，Ｆ２に回転自在に貫通させた駆動軸１２にプーリ１３が固着されており、前記二つのプーリ１１，１３に伝動ベルト１４が巻回され、駆動軸１２の一端部に固着されたプーリ１５に伝動ベルト１６を介して、めくりモータＭ２から回転駆動力を与えられるようにしてある。図５において、１７はめくりローラＴＲの回転角度を検出するセンサであり、駆動軸１２に固着された遮光板１８により遮光される光電スイッチで構成されている。センサ１７が明から暗になり、再び明になったことにより、めくりローラＴＲの１回転が検知され、制御部はその検知信号に基づいてめくりモータＭ２の回転を制御するようになっている。
【００１０】
そして、めくりローラＴＲによるめくり動作を確実にするため、通帳搬送面の下側搬送ガイドＬＧにめくりローラの下方において孔１０３を形成するとともに、その孔からめくりローラＴＲに向けてバネ１０４などを介して弾力的に付勢する通帳押え部材１０５が備えられている。通帳押え部材１０５は、摩擦係数の小さな材料で形成され、めくりローラＴＲのめくり部材ｔｍが通帳搬送面から上方に退避されている間は、カムやリンクなどの昇降手段（図示省略）により通帳搬送面から下方に退避されている。すなわち、通帳押え部材１０５は、通帳が搬送される間は、通帳搬送面よりも下方に退避され、停止した通帳に対してめくりローラＴＲによりめくり動作が行われる間は、図３に示されているように、上昇されてめくりローラＴＲに近接される。また、めくりローラＴＲの下方に設けられているプレッシャローラｐｒ２は、めくりローラＴＲが回転される間は、めくり動作が円滑に行われるように、図３に示されているように、搬送面から下方に退避される。
【００１１】
めくり動作の際は、めくりローラＴＲが図３においては反時計方向に回転されて、めくり部材ｔｍが通帳１００に接触するとき、通帳が下側搬送ガイドＬＧに密着された状態となり、かつ、通帳押え部材１０５による圧力により、円軌道に沿って移動するめくり部材ｔｍの通帳（最上の中紙１０１）に対する摩擦力が高められる。
【００１２】
図４に示すように、めくりローラＴＲは、通帳搬送方向に直交する方向に延設された回転軸２ａにその軸方向に隔てて一対設けられている。そして、図２に示すように、めくりローラの回転とともに、通帳の最上の１枚目の搬送方向中央部分が凸面となるように湾曲され（膨らまされ）、続いて、先端がめくりローラから上方に跳ね上った時に、めくりローラの回転が停止され、通帳が所定方向に搬送されて、めくりローラの上方に跳ね上った表紙又は中紙を反転させることにより、めくり動作が終了するようになっている。
【００１３】
上記のように、この通帳頁めくり装置は、搬送ローラと同軸上にめくりローラを設けて定位置で所定方向に回転させるだけで通帳の頁めくりが実現されるので、搬送ローラとめくりローラの取付空間の取合いの問題がなく、めくり領域の確保が容易であるという長所を有している。
【００１４】
【発明が解決しようとする課題】
ところが、めくりローラの製造上又は取付上の誤差により、一対のめくりローラの通帳に与える摩擦力の大きさや分布あるいは付与方向が完全に同一ではないため、通帳のめくり動作途中で、図４に示すように一対のめくりローラの間の部分が搬送面から浮上して、中紙の幅方向中央部分に尾根状又は皺状のリブが発生する場合がある。このようなリブは、その直後の通帳の湾曲に対して抵抗体となるため、めくり動作を不可能にする。そのため、従来のめくり装置では、めくり動作が安定して行われないという問題があった。
【００１５】
本発明は、上記の点に鑑みてなされたものであり、その課題は、一対のめくりローラを回転してめくり動作を行う通帳頁めくり装置において、表紙又は中紙の幅方向中央部分にめくり動作中のめくりローラから加わる力が原因となるリブの発生を防止して、頁めくりが安定して行われるようにすることにある。
【００１６】
【課題を解決するための手段】
上記の課題を解決するため、本発明は、通帳搬送路中の定位置において所定方向に回転される一対のめくりローラを用いる通帳頁めくり装置において、前記一対のめくりローラを取付けた回転軸に、同めくりローラの間において外周面が通帳搬送面に近接する浮上防止ローラを回転自在に設けたことを特徴としている。上記構成により、めくりローラの回転に伴い、通帳の表紙又は中紙のめくりローラの間の部分が浮上しようとしても、浮上防止ローラにより押えられているので、リブが発生しない。従って、めくりローラが押圧している頁が円滑に膨らんでめくり動作が完了される。
【００１７】
【発明の実施の形態】
次に、本発明の実施の形態について、図１に示す実施例に基づいて説明する。図１は本発明による浮上防止ローラを備えた通帳頁めくり装置の要部の図４に対応する断面図である。図４の部材と同一の部材には同一の符号を用いる。
【００１８】
本実施例においては、伝動ベルト１４を介して回転力を与えられ、めくりローラＴＲを固着しているスリーブ９（回転軸）に、一対のめくりローラＴＲの中間において、浮上防止ローラＡＬＲを回転自在に設けてある。浮上防止ローラＡＬＲは、直径が搬送ローラのフィードローラｆｒ２と同径又はフィードローラｆｒ２の径よりも僅かに小さい径を有して、その外周面が通帳搬送面に接触され又は可及的に接近されている。
【００１９】
上記のように、一対のめくりローラＴＲの間に浮上防止ローラＡＬＲが設けられているので、通帳がめくり領域において搬送されるときは、浮上防止ローラはその搬送される通帳の見開き面に当接して自由に追従回転するので、浮上防止ローラが通帳の搬送の障害になることはない。また、通帳が停止された時に、めくりローラＴＲが所定方向に回転されて、めくりローラが接触している表紙又は中紙が膨らまされる時は、その表紙又は中紙のほぼ中間部分が浮上防止ローラＡＬＲにより押さえられているので、図４に示すような、中央部分への寄せ集めによるリブの発生が見られない。
万一、左右のめくりローラ又はめくり部材の取付け状態に不均衡があるために、めくり上げられる表紙又は中紙の中央部分が浮上防止ローラＡＬＲにめくりローラＴＲの回転速度と同期しない速度で力を加えても、浮上防止ローラはスリーブ（回転軸）から独立して回転自在に備えてあるので、加わる力に応じて任意に回転するため、めくり上げられる表紙又は中紙に摩擦抵抗を与えることもない。したがって、頁めくりが円滑に行われる。
【００２０】
スリーブ９に回転力を与える伝動ベルト１４は、図４に示すように一対のめくりローラＴＲの間に設ける必要はなく、スリーブ９をいずれか一方のめくりローラの外側まで延出し、その延出部分にプーリ１１を設け、そのプーリに伝動ベルト１４を巻回するようにしてもよい。
【００２１】
【発明の効果】
上述のように、本発明によれば、めくりローラの間に浮上防止ローラを回転自在に備えたので、めくりローラのめくり動作中にめくられる表紙又は中紙の中央部分にリブが発生することがないため、円滑に安定した頁めくり動作が行われる。また、浮上防止ローラは回転自在であるので、搬送ローラによる通帳搬送やめくりローラによるめくり動作の障害とならない。
【図面の簡単な説明】
【図１】本発明による頁めくり装置の要部を示す断面図。
【図２】めくりローラを用いる頁めくり装置の動作原理を説明する図。
【図３】めくりローラを用いる頁めくり装置の要部の構成を示す断面図。
【図４】図３のＸ−Ｘ線断面図。
【図５】駆動力伝達機構を説明する要部の正面図。
【符号の説明】
ＣＲ１，ＣＲ２，ＣＲ３      搬送ローラ
ｆｒ２      フィードローラ
ｐｒ２      プレッシャローラ
１００      通帳
１０１      中紙
ＴＲ        めくりローラ
ｔｍ        めくり部材
ｂｍ        ボス部
ＡＬＲ      浮上防止ローラ
【図１】
0003786812.tif 000002
【図２】
0003786812.tif 000003
【図３】
0003786812.tif 000004
【図４】
0003786812.tif 000005
【図５】
0003786812.tif 000006